(57)【要約】      （修正有）【課題】屋外空気が汚染している地域において住宅内部をクリーンルーム並に清浄にすることができる、住宅用小型空気清浄化装置を提供する。【解決手段】外気から空気を取り入れる外気取入れ口５と、外気取入れ口から取り入れた空気を清浄化する高性能フィルター３と、清浄化した空気を送風する送風機２と、が配置された、住宅用小型空気清浄装置本体１と、送風機から送風された空気を屋内の吹出し口６に導入するためのフレキシブルダクト７と、を有する。汚染した屋外空気を、高性能フィルター３で、清浄化し、送風機２で室内に送気することにより、室内の気圧を屋外より高くして、汚染した屋外空気が住宅内への侵入するのを防ぐ。またこの清浄化した空気が既に汚染している屋内の空気と置換され、室内を清浄にする。【選択図】図１
0003203986.tif 000002
【実用新案登録請求の範囲】
【請求項１】
汚染している、屋外の空気を高性能フィルターで清浄化して、室内へ送気し、室内の気圧を屋外より高くすることにより、汚染した屋外の空気が室内に進入するのを防ぐことが出来る、住宅用小型空気清浄化装置。
【請求項２】
０．３μｍ以上の微粒子を９９．９７％以上の効率で除去できる高性能フィルター（ＨＥＰＡフィルター）と、清浄化した外気を室内に送風するための、送風機を筐体内にコンパクトに収納し、設置、持運び及び家庭用１００ｖコンセントに接続して、運転が容易に出来るようにした、住宅用小型空気清浄化装置。
【請求項３】
清浄化した空気を室内と、エアーシャワーの両方に送風できる住宅用小型空気清浄化装置。
【請求項４】
外枠にカーテン状の布、或いはたビニールシートを取り付け、設置、持運びが容易に出来る軽量エアーシャワー装置。
【考案の詳細な説明】
【技術分野】
【０００１】本考案はスギ花粉、その他有害な物質により、屋外空気が汚染している地域に於いて、住宅の内部を汚染から守るための、小型空気清浄化装置である。
汚染している屋外空気を、装置に内装する、高性能フィルターにより清浄化して、住宅の内部に送気することにより、住宅内部を清浄に維持するものである。
本装置は、住宅用として簡便に使用が出来、住宅内部をクリーンルーム並に清浄化することを主目的としている。そのため、特別な技能を有しない人が、容易に設置、持運び、運転が出来るように小型化することが必要で、更に空気清浄化装置としても、高い清浄化効率が要求される。
このため、高性能フィルターと、清浄化した外気を屋内に送気するための送風機を、筐体内にコンパクトに収納し、小型化、軽量化した。
本装置で屋外空気を清浄化して室内へ送気することにより、室内の気圧を屋外より高くし、汚染した屋外空気が室内に侵入するのを防ぐ効果がある。また汚染した室内空気を、清浄化した屋外空気で置換することにより、既に汚染した屋内を清浄にすることができる。
高性能フィルターは原子力施設やクリーンルーム施設などで使用されている物と同等以上の性能を有するもので、０．３μｍ以上の微細な塵埃を９９．９７％以上の捕集効率で除去できる。
本装置は、１００ｖの家庭用コンセントに接続して、運転ができるように、装置内部の圧力損失を少なくし、電気容量を低くした。
さらに、体に付着した塵埃を、屋内に持込まないための、簡便、軽量なエアーシャワー設備を本装置に付帯して設置し、住宅内部への汚染物質持込を防ぐことが出来る。
【背景技術】
【０００２】屋外空気を清浄化して住宅内部に送ることにより、室内の気圧を外部より高くし、汚染空気の侵入を防ぐことが出来、かつ特別な技能を有しない人が、簡便に設置、持運びができ、更に家庭用１００ｖコンセントに接続して運転が出来る、高性能フィルターを装備した、住宅用小型空気清浄化装置はなかった。
また室内に外部から、汚染物質の持込を防ぐための、住宅用小型空気清浄化装置と共用できる、小型、軽量のエアーシャワー設備はなかった。
【先行技術文献】
【特許文献】
【０００３】
【特許文献１】２００７−００７１１５号
【特許文献２】２００７−０８９７５４号
【考案の概要】
【考案が解決しようとする課題】
【０００４】ＩＣ工場或いは薬品工場などでは、クリーンルームの設置が不可欠で、そのために高性能フィルターを使用して施設内の清浄化を維持している。
しかし、これらの装置は、設備工事費も、その維持費も高額になり、一般住宅に適用することは難しい。
特別な技術力のない人が、家電並みに簡便に設置、持運び、運転ができ、高性能フィルターと送風機を筐体内にコンパクトに収納し、住宅内部をクリーンルーム並に清浄にすることが出来る、住宅用小型空気清浄化装置が必要とされている。
また屋外から室内に入る前に、体に付着した塵埃を、高性能フィルターで清浄にした空気を吹き付けて、体に付着した塵埃を除去することが出来る、簡便なエアーシャワー装置が必要とされている。
これらの装置は、工事費及びその維持費がクリーンルーム施設に比べはるかに低価格で、一般住宅に使用できるものでなくてはならない。【０００５】住宅用小型空気清浄化装置本体▲１▼に、送風機▲２▼、高性能フィルター▲３▼をコンパクトに配置し、持運び出来るように、小型化、軽量化した。
また本装置は家庭用１００ｖのコンセントに接続して運転することが出来るように、送風機のモーター出力を低くした。
住宅用小型空気清浄化装置で清浄化した空気はフレキシブルダクト▲７▼で屋外に面する天窓、或いは外窓に取付ける室内吹出し口▲６▼に接続し、屋内に導入する。
またエアーシャワー装置▲１０▼は、軽量パイプなどで造った外枠▲１１▼に、カーテン状の布、或いはビニールシート▲１２▼などを被せた、簡便なものにし、容易に設置、持運びができるようにした。
エアーシャワー装置は、切換えダンパー▲８▼を操作し、清浄化した空気をフレキシブルダクト▲９▼を通してエアーシャワー装置に送気し、使用する。
【考案の効果】
【０００６】空気清浄化装置を住宅用にコンパクトにしたため、特別な技術を有しない人が、簡便に一般住宅に設置することが可能になり、持運び、運転が容易で、一般住宅内部をクリーンルーム並に、清浄に維持することができる。
住宅用小型空気清浄化装置を運転することにより、室内の気圧を屋外より高くし、汚染した屋外空気が住宅の隙間から、室内へ侵入するのを防ぐ効果がある。
また高性能フィルターで清浄にした屋外空気で、すでに汚染している室内空気を置換し、室内を清浄に維持することが出来る。
さらに、付帯するエアーシャワー装置を使用して、体や衣服に付着した塵埃を除去することにより、室内への汚染拡大を防ぎ、室内をクリーンに維持できる。
【図面の簡単な説明】
【０００７】
【図１】本考案の使用状態を示す断面図である。
【考案を実施するための形態】
【０００８】以下、本考案の実施の形態について、図面を参照しつつ説明する。
（イ）．住宅用小型空気清浄化装置本体▲１▼を屋外に設置し、空気吹出口▲６▼を天窓或いは外窓にとりつける。空気吹出口は、天窓或いは外窓に挟み込む事が出来る筐体形状である。その間を１００φ〜１５０φの送気ダクト▲７▼で接続し、室内へ清浄化した外気を送気する。
（ロ）．空気清浄化装置本体の電源を、家庭用の１００ｖコンセントに接続して運転し、室内の気圧を外気より高くする。室内の気圧を屋外より高くすることにより、汚染した外気が室内へ侵入するのを防ぐ効果が有る。
また清浄化した屋外空気を室内に送気することで、すでに汚染している室内空気を置換し、室内を清浄に維持することが出来る。
（ハ）．切替ダンパー▲８▼とエアーシャワー装置の間を送気ダクト▲９▼で接続し、切替ダンパー▲８▼で切替えて清浄化した空気をエアーシャワー装置に送り、エアーシャワー装置を使用する。
（ニ）．エアーシャワー装置▲１０▼はパイプフレーム▲１１▼の外側をカーテン状の布或いはビニールシートなど▲１２▼で覆い、人が容易に持運び出来る形状で軽量化し、設置、移動が出来るようにした。
【符号の説明】
【０００９】    ▲１▼    住宅用小型空気清浄化装置本体
▲２▼    送風機
▲３▼    高性能フィルター（微粒子除去用ＨＥＰＡフィルター）
▲４▼    プレフィルター（粗粒子除去用フィルター）
▲５▼    外気取入れ口
▲６▼    屋内吹出し口
▲７▼    屋内への送気ダクト（フレキシブルダクト）
▲８▼    切り替えダンパー（屋内〜エアシャワー）
▲９▼    エアーシャワーへの送気ダクト（フレキシブルダクト）
▲１０▼  エアーシャワー装置
▲１１▼  エアーシャワー装置パイプフレーム
▲１２▼  エアーシャワー装置覆い（布或いはビニールシート）
【図１】
0003203986.tif 000003
【手続補正書】
【提出日】平成27年11月25日(2015.11.25)
【手続補正１】
【補正対象書類名】実用新案登録請求の範囲
【補正対象項目名】全文
【補正方法】変更
【補正の内容】
【実用新案登録請求の範囲】
【請求項１】
外気取入れ口▲５▼と室内圧を高めるための屋内吹出し口▲６▼、高性能フィルター▲３▼、送風機▲２▼清浄化装置本体▲１▼にコンパクトに設置した、
住宅用小型空気清浄化装置。
【手続補正２】
【補正対象書類名】明細書
【補正対象項目名】全文
【補正方法】変更
【補正の内容】
【考案の詳細な説明】
【技術分野】
【０００１】本考案はスギ花粉、その他有害な物質により、屋外空気が汚染している地域に於いて、住宅の内部を汚染から守るための、小型空気清浄化装置である。
汚染している屋外空気を、装置に内装する、高性能フィルターにより清浄化して、住宅の内部に送気することにより、住宅内部を清浄に維持するものである。
本装置は、住宅用として簡便に使用が出来、住宅内部をクリーンルーム並に清浄化することを主目的としている。そのため、特別な技能を有しない人が、容易に設置、持運び、運転が出来るように小型化することが必要で、更に空気清浄化装置としても、高い清浄化効率が要求される。
このため、高性能フィルターと、清浄化した外気を屋内に送気するための送風機を、筐体内にコンパクトに収納し、小型化、軽量化した。
本装置で屋外空気を清浄化して室内へ送気することにより、室内の気圧を屋外より高くし、汚染した屋外空気が室内に侵入するのを防ぐ効果がある。
また汚染した室内空気を、清浄化した屋外空気で置換することにより、既に汚染した屋内を清浄にすることができる。
高性能フィルターは原子力施設やクリーンルーム施設などで使用されている物と同等以上の性能を有するもので、０．３μｍ以上の微細な塵埃を９９．９７％以上の捕集効率で除去できる。
本装置は、１００ｖの家庭用コンセントに接続して、運転ができるように、装置内部の圧力損失を少なくし、電気容量を低くした。
【背景技術】
【０００２】屋外空気を清浄化して住宅内部に送ることにより、室内の気圧を外部より高くし、汚染空気の侵入を防ぐことが出来、かつ特別な技能を有しない人が、簡便に設置、持運びができ、更に家庭用１００ｖコンセントに接続して運転が出来る、高性能フィルターを装備した、住宅用小型空気清浄化装置はなかった。
【考案の概要】
【考案が解決しようとする課題】
【０００３】ＩＣ工場或いは薬品工場などでは、クリーンルームの設置が不可欠で、そのために高性能フィルターを使用して施設内の清浄化を維持している。
しかし、これらの装置は、設備工事費も、その維持費も高額になり、一般住宅に適用することは難しい。
特別な技術力のない人が、家電並みに簡便に設置、持運び、運転ができ、高性能フィルターと送風機を筐体内にコンパクトに収納し、住宅内部をクリーンルーム並に清浄にすることが出来る、住宅用小型空気清浄化装置が必要とされている。
これらの装置は、工事費及びその維持費がクリーンルーム施設に比べはるかに低価格で、一般住宅に使用できるものでなくてはならない。【０００４】住宅用小型空気清浄化装置本体▲１▼に、送風機▲２▼、高性能フィルター▲３▼をコンパクトに配置し、持運び出来るように、小型化、軽量化した。
また本装置は家庭用１００ｖのコンセントに接続して運転することが出来るように、送風機のモーター出力を低くした。
住宅用小型空気清浄化装置で清浄化した空気はフレキシブルダクト▲７▼で屋外に面する天窓、或いは外窓に取付ける室内吹出し口▲６▼に接続し、屋内に導入する。
【考案の効果】
【０００５】空気清浄化装置を住宅用にコンパクトにしたため、特別な技術を有しない人が、簡便に一般住宅に設置することが可能になり、持運び、運転が容易で、一般住宅内部をクリーンルーム並に、清浄に維持することができる。
住宅用小型空気清浄化装置を運転することにより、室内の気圧を屋外より高くし、汚染した屋外空気が住宅の隙間から、室内へ侵入するのを防ぐ効果がある。
また高性能フィルターで清浄にした屋外空気で、すでに汚染している室内空気を置換し、室内を清浄に維持することが出来る。
【図面の簡単な説明】
【０００６】
【図１】本考案の使用状態を示す断面図である。
【考案を実施するための形態】
【０００７】以下、本考案の実施の形態について、図面を参照しつつ説明する。
（イ）．住宅用小型空気清浄化装置本体▲１▼を屋外に設置し、空気吹出口▲６▼を天窓或いは外窓にとりつける。空気吹出口は、天窓或いは外窓に挟み込む事が出来る筐体形状である。その間を１００φ〜１５０φの送気ダクト▲７▼で接続し、室内へ清浄化した外気を送気する。
（ロ）．空気清浄化装置本体の電源を、家庭用の１００ｖコンセントに接続して運転し、室内の気圧を外気より高くする。室内の気圧を屋外より高くすることにより、汚染した外気が室内へ侵入するのを防ぐ効果が有る。
また清浄化した屋外空気を室内に送気することで、すでに汚染している室内空気を置換し、室内を清浄に維持することが出来る。
【符号の説明】
【０００８】▲１▼        住宅用小型空気清浄化装置本体
▲２▼        送風機
▲３▼        高性能フィルター（微粒子除去用ＨＥＰＡフィルター）
▲４▼        プレフィルター（粗粒子除去用フィルター）
▲５▼        外気取入れ口
▲６▼        屋内吹出し口
▲７▼        屋内への送気ダクト（フレキシブルダクト）
【手続補正３】
【補正対象書類名】図面
【補正対象項目名】全図
【補正方法】変更
【補正の内容】
【図１】
0003203986.tif 000004
【手続補正書】
【提出日】平成28年2月9日(2016.2.9)
【手続補正１】
【補正対象書類名】実用新案登録請求の範囲
【補正対象項目名】全文
【補正方法】変更
【補正の内容】
【実用新案登録請求の範囲】
【請求項１】
外気から空気を取り入れる外気取入れ口▲５▼と、外気取入れ口から取り入れた空気を清浄化する高性能フィルター▲３▼と、清浄化した空気を送風する送風機▲２▼と、が配置された、住宅用小型空気清浄装置本体▲１▼と、送風機から送風された空気を屋内の吹出し口▲６▼に導入するためのフレキシブルダクト▲７▼と、を有する住宅用小型空気清浄化装置
【手続補正２】
【補正対象書類名】明細書
【補正対象項目名】全文
【補正方法】変更
【補正の内容】
【考案の詳細な説明】
【技術分野】
【０００１】本考案はスギ花粉、その他有害な物質により、屋外空気が汚染している地域に於いて、住宅の内部を汚染から守るための、小型空気清浄化装置である。
汚染している屋外空気を、装置に内装する、高性能フィルターにより清浄化して、住宅の内部に送気することにより、住宅内部を清浄に維持するものである。
本装置は、住宅用として簡便に使用が出来、住宅内部をクリーンルーム並に清浄化することを主目的としている。そのため、特別な技能を有しない人が、容易に設置、持運び、運転が出来るように小型化することが必要で、更に空気清浄化装置としても、高い清浄化効率が要求される。
このため、高性能フィルターと、清浄化した外気を屋内に送気するための送風機を、筐体内にコンパクトに収納し、小型化、軽量化した。
本装置で屋外空気を清浄化して室内へ送気することにより、室内の気圧を屋外より高くし、汚染した屋外空気が室内に侵入するのを防ぐ効果がある。また汚染した室内空気を、清浄化した屋外空気で置換することにより、既に汚染した屋内を清浄にすることができる。
高性能フィルターは原子力施設やクリーンルーム施設などで使用されている物と同等以上の性能を有するもので、０．３μｍ以上の微細な塵埃を９９．９７％以上の捕集効率で除去できる。
本装置は、１００ｖの家庭用コンセントに接続して、運転ができるように、装置内部の圧力損失を少なくし、電気容量を低くした。
【背景技術】
【０００２】屋外空気を清浄化して住宅内部に送ることにより、室内の気圧を外部より高くし、汚染空気の侵入を防ぐことが出来、かつ特別な技能を有しない人が、簡便に設置、持運びができ、更に家庭用１００ｖコンセントに接続して運転が出来る、高性能フィルターを装備した、住宅用小型空気清浄化装置はなかった。
【考案の概要】
【考案が解決しようとする課題】
【０００３】ＩＣ工場或いは薬品工場などでは、クリーンルームの設置が不可欠で、そのために高性能フィルターを使用して施設内の清浄化を維持している。しかし、これらの装置は、設備工事費も、その維持費も高額になり、一般住宅に適用することは難しい。
特別な技術力のない人が、家電並みに簡便に設置、持運び、運転ができ、高性能フィルターと送風機を筐体内にコンパクトに収納し、住宅内部をクリーンルーム並に清浄にすることが出来る、住宅用小型空気清浄化装置が必要とされている。
これらの装置は、工事費及びその維持費がクリーンルーム施設に比べはるかに低価格で、一般住宅に使用できるものでなくてはならない。【０００４】住宅用小型空気清浄化装置本体▲１▼に、送風機▲２▼、高性能フィルター▲３▼をコンパクトに配置し、持運び出来るように、小型化、軽量化した。
また本装置は家庭用１００ｖのコンセントに接続して運転することが出来るように、送風機のモーター出力を低くした。
住宅用小型空気清浄化装置で清浄化した空気はフレキシブルダクト▲７▼で屋外に面する天窓、或いは外窓に取付ける室内吹出し口▲６▼に接続し、屋内に導入する。
【考案の効果】
【０００５】空気清浄化装置を住宅用にコンパクトにしたため、特別な技術を有しない人が、簡便に一般住宅に設置することが可能になり、持運び、運転が容易で、一般住宅内部をクリーンルーム並に、清浄に維持することができる。住宅用小型空気清浄化装置を運転することにより、室内の気圧を屋外より高くし、汚染した屋外空気が住宅の隙間から、室内へ侵入するのを防ぐ効果がある。また高性能フィルターで清浄にした屋外空気で、すでに汚染している室内空気を置換し、室内を清浄に維持することが出来る。
【図面の簡単な説明】
【０００６】
【図１】  本考案の使用状態を示す断面図である。
【考案を実施するための形態】
【０００７】以下、本考案の実施の形態について、図面を参照しつつ説明する。
（イ）．住宅用小型空気清浄化装置本体▲１▼を屋外に設置し、空気吹出口▲６▼を天窓或いは外窓にとりつける。空気吹出口は、天窓或いは外窓に挟み込む事が出来る筐体形状である。その間を１５０φ〜２００φの送気ダクト▲７▼で接続し、室内へ清浄化した外気を送気する。
（ロ）．空気清浄化装置本体の電源を、家庭用の１００ｖコンセントに接続して運転し、室内の気圧を外気より高くする。室内の気圧を屋外より高くすることにより、汚染した外気が室内へ侵入するのを防ぐ効果が有る。
また清浄化した屋外空気を室内に送気することで、すでに汚染している室内空気を置換し、室内を清浄に維持することが出来る。
【符号の説明】
【０００８】▲１▼        住宅用小型空気清浄化装置本体
▲２▼        送風機
▲３▼        高性能フィルター（微粒子除去用ＨＥＰＡフィルター）
▲４▼        プレフィルター（粗粒子除去用フィルター）
▲５▼        外気取入れ口
▲６▼        屋内吹出し口
▲７▼        屋内への送気ダクト（フレキシブルダクト）
【手続補正３】
【補正対象書類名】図面
【補正対象項目名】全図
【補正方法】変更
【補正の内容】
【図１】
0003203986.tif 000005